(57)【要約】  本発明は、燃料添加剤の分野、特に、燃料効率高めるため及び／又は汚染物質などの望ましくない排気物を減少させるために、バーナ及び火炎に燃料供給される炭化水素用の添加剤に関するものである。本発明の燃料添加剤は、リン含有親溶液を含む。リン塩は、水又はその他の適切な溶媒に、少なくとも部分的に分散及び／又は溶解されて燃料添加剤の基剤となるリン含有親溶液を形成する。リン含有親溶液は、分散流体に添加されるか又は混合される。【特許請求の範囲】
【請求項１】
塩の混合物及び分散流体を含む燃料添加剤であって、塩の混合物は、
（ａ）［Ｙ］ｘＨ２ＰＯ４、と
（ｂ）［Ｙ］ｘ＋ＨＰＯ４（式中、［Ｙ］は陽イオンである）を含み、分散流体は、塩を少なくとも部分的に分散した状態で分散流体内に保持することができ、燃料添加剤は、直接燃焼型バーナ又はオープン火炎中の燃料と接触するように添加され、かつ燃焼された時に、燃焼を高めることができ、高められた燃焼は、燃料効率の向上、又は燃料及び燃料添加剤の燃焼から生じる排ガス中の汚染物質量の減少により測ることができる燃料添加剤。
【請求項２】
［ＮＨ４］２ＨＰＯ４を更に含む請求項１に記載の燃料添加剤。
【請求項３】
ＮＨ４Ｃ２Ｈ３Ｏ２（式中、Ｃ２Ｈ３Ｏ２はアセテート基である）を更に含む請求項２に記載の燃料添加剤。
【請求項４】
溶液のｐＨが約６．０と８．０の間である請求項１に記載の燃料添加剤。
【請求項５】
直接燃焼型バーナ又はオープン火炎を含む燃焼系において、炭化水素燃料の燃料性能を高める方法であって、直接燃焼型バーナ又はオープン火炎に対して燃料性能を高めるために効果的な量の燃料添加剤を供給するステップ、及び燃料添加剤とともに炭化水素燃料を燃焼させるステップを含む方法であって、燃料添加剤が、
（ａ）［Ｙ］ｘＨ２ＰＯ４、と
（ｂ）［Ｙ］ｘ＋ＨＰＯ４（式中、［Ｙ］は陽イオンである）を含み、分散流体は、塩を少なくとも部分的に分散した状態で分散流体内に保持することができ、燃料添加剤は、直接燃焼型バーナ又はオープン火炎中の燃料と接触するように添加され、かつ燃焼された時に、燃焼を高めることができ、高められた燃焼は、燃料効率の向上、又は燃料及び燃料添加剤の燃焼から生じる排ガス中の汚染物質量の減少により測ることができる方法。
【請求項６】
燃料添加剤が［ＮＨ４］２ＨＰＯ４を更に含む請求項５に記載の燃料性能を高める方法。
【請求項７】
燃料添加剤が、ＮＨ４Ｃ２Ｈ３Ｏ２（式中、Ｃ２Ｈ３Ｏ２はアセテート基である）を更に含む請求項５に記載の燃料性能を高める方法。
【請求項８】
炭化水素燃料が液体炭化水素燃料である請求項５に記載の燃料性能を高める方法。
【請求項９】
（ａ）燃焼に適した実質的な量の炭化水素燃料、と
（ｂ）燃焼を高めることができる量の請求項１に記載の燃料添加剤を含む高められた燃料。
【請求項１０】
約１と１５０重量ｐｐｍの間の量のリンが、炭化水素燃料中に存在する請求項９に記載の高められた燃料。
【請求項１１】
燃料添加剤の量が、高められた燃料を燃焼する時に、燃料添加剤を含有しない炭化水素燃料の燃焼と比較して、排気物を減少することができる量である請求項９に記載の高められた燃料。
【請求項１２】
燃焼系に用いるための高められた炭化水素燃料を作成する方法であって、
（ａ）燃料性能を高めるために効果的な量の化学的添加組成物を炭化水素燃料に添加するステップを含む方法であって、この化学的添加組成物が、リン酸源、アルカリ金属水酸化物、水酸化アンモニウム、及び水を混合して得られる反応生成物を含む方法。
【請求項１３】
化学的添加組成物が酢酸を更に含む高められた炭化水素燃料を作成する請求項１２に記載の方法。
【請求項１４】
炭化水素燃料の燃焼を高めるための燃料添加剤を作成する方法であって、
（ａ）［Ｙ］ｘＨ２ＰＯ４と［Ｙ］ｘ＋ＨＰＯ４（式中、［Ｙ］は陽イオンである）を溶媒中で混合し、塩を溶媒に少なくとも部分的に分散させて、リン含有親溶液を作成するステップ、
（ｂ）リン含有親溶液が大体において分散流体に分散されるように、リン含有親溶液を分散流体と混合するステップ、
（ｃ）炭化水素燃料の存在下で直接燃焼型バーナ又はオープン火炎に添加し、かつ燃焼させた時に、燃焼を高めることができる燃料添加剤を作成するために、リン含有親溶液と分散流体の混合物から溶媒の実質的な部分を除去するステップ含む方法。
【発明の詳細な説明】
【技術分野】
【０００１】
本特許出願は、２００４年９月２８日出願の米国仮特許出願番号６０／６１３，６９９に関する優先権を主張する。この仮特許出願の全文を参考として本明細書に援用する。
【０００２】
本発明は、燃料添加剤の分野、特に、燃料効率高めるため、及び／又は汚染物質などの望ましくない排気物を減少させるために、バーナ及び火炎（ｆｌａｍｅ）に燃料供給される炭化水素用の添加剤に関するものである。
【背景技術】
【０００３】
多くの炭化水素燃料が用いられてきたが、それぞれが独自の長所及び欠点を持っていた。このような燃料の例には、ディーゼル、灯油、重質留分、及びバンカー重油がある。この種の燃料の燃焼効率を高めるために、化学的化合物が、助燃剤として用いられた。これらの添加剤の多くは、マグネシウム、鉄、銅、セリウム、カルシウム、及びバリウムなどの金属元素を含んでいた。これらの元素は、それぞれ、特定の用途において長所及び欠点を持っている。ある種の鉄化合物の欠点は、燃料に対する制約された溶解度、毒性、添加剤として高価なことである。また、硫黄との相互作用、及び硫黄析出物が生成することがあり、これは望ましくない。
【０００４】
また、燃焼効率を改良する目的に加えて、特に直接燃焼される（ｄｉｒｅｃｔ  ｆｉｒｅｄ）用途において、重質燃料の煤煙排出の減少が関心事である。産業界は、これらの分野における煤煙及び微粒子の排出を削減するための燃料添加剤の開発に実質的な進歩を為しえなかった。
【発明の開示】
【発明が解決しようとする課題】
【０００５】
オープン火炎バーナ及びその他の直接燃焼される用途から発生する煤煙及び微粒子排出を削減するための燃焼触媒を含む燃焼添加剤が有利になるであろう。このような用途に用いられるディーゼル燃料、及び重質燃料に対して、燃焼効率を高め、及び／又は汚染物質を減少させる燃料添加剤は、特に有利になるであろう。燃料用途から煤煙、微粒子、及び窒素排気物を減少させることも、有利になるであろう。ＮＯｘの減少に加えて、ＨＣＮ排気物の減少又は削減が、おおいに望まれている。
【０００６】
燃焼過程で析出物を生成することなく、クリーンに燃焼する添加剤が望ましいであろう。
【課題を解決するための手段】
【０００７】
本発明は、燃料添加剤、及び炭化水素燃料に関係する添加剤の使用方法を含む。
【０００８】
本発明の燃料添加剤は、［Ｙ］ｘＨ２ＰＯ４、［Ｙ］ｘ＋ＨＰＯ４（式中、［Ｙ］は陽イオンである）を含む、リン含有親溶液（ｐａｒｅｎｔ  ｓｏｌｕｔｉｏｎ）を含んでいる。Ｙは、二つの塩化合物で、同一の陽イオンである必要はない。塩成分の陽イオン部分は、任意の陽イオンであってもよく、カリウムが好ましい陽イオンである。この場合、好ましい成分は、ＫＨ２ＰＯ４、Ｋ２ＨＰＯ４であろう。これらの塩は、水又はその他の適切な溶媒に少なくとも部分分散されるか、及び／又は溶解されて、リン含有親溶液を作成する。この燃料添加剤の実施形態は、無アンモニア溶液であることが好都合である。一つの好ましい実施形態は、水の存在下で、これらの成分を添加して、水性親溶液としてリン含有親溶液を作成する。水は溶媒として作用する。その他の好ましい親溶液溶媒は、アルコールを含む。別の好ましい陽イオンの群は、アルカリ金属又は１Ａ族元素であろう。Ｙとして用いたＮＨ４は、燃料性能を高める燃料添加剤を形成することもあるが、アンモニアを避けること、及びまったくアンモニアを避けることが好ましい場合がある。
【０００９】
リン含有親溶液は、分散流体に添加されるか、又は分散流体と混合される。分散流体は、少なくとも部分的分散状態で、塩を分散流体内に保持できる流体であり、かつ炭化水素燃料に混和できる、又は溶液状態で保持できる流体である。好ましい実施形態では、熱的手段により、分散流体中のリン含有親溶液から、溶媒の大部分が除去されて、燃料添加剤を作成する。この燃料添加剤は、直接燃焼型バーナ又はオープン火炎内で燃料と接触するように加えられ、燃焼される時、燃焼を高めることができる。燃焼を高めるとは、燃料添加剤を加えない燃料と比較した時に燃料効率が増大すること、又は燃焼から生じた排ガス中の汚染物質量が減少すること、又はそれらの効果が組み合わされたことを意味する。典型的な汚染物質は、炭化水素燃料の燃焼から生じるＮＯｘ、ＨＣＮ、ＳＯ２微粒子物質、一酸化炭素、及びその他の知られた汚染物質を含むことができる。種々の地域では、大気特性に基づいて特定の汚染物質を最小にすることに的を絞っていることが注目される。ＮＯｘ及びＨＣＮなどの目標とする汚染物質、又は汚染物質の組み合わせを減量することが好都合である。代わりに、燃料効率を増大することは、汚染物質のトータル量を低減し、かつ経済的に有利になる。
【００１０】
リン含有親溶液の別の好ましい実施形態は、［Ｙ］ｘＨ２ＰＯ４、［Ｙ］ｘ＋ＨＰＯ４及び水に対して［ＮＨ４］２ＨＰＯ４を添加することを含む。なお、別の実施形態は、溶液が［Ｙ］ｘＨ２ＰＯ４、［Ｙ］ｘ＋ＨＰＯ４、［ＮＨ４］２ＨＰＯ４、ＮＨ４Ｃ２Ｈ３Ｏ２及び水を含有するように、ＮＨ４Ｃ２Ｈ３Ｏ２（式中、Ｃ２Ｈ３Ｏ２−イオンはアセテート基である）を添加することを含む。アンモニウム化合物を用いて燃料添加剤を製造する場合、アンモニウム化合物はＮＨｘ基を含有する化合物と定義され、溶液中の窒素は、本質的にすべてが、アンモニウムイオンの形態である。溶液中には、無視できる量の遊離アンモニアが存在するに過ぎない。好ましい実施形態では、溶液は約６．０と８．０の間のｐＨである。
【００１１】
リン含有親溶液の別の好ましい実施形態は、［Ｙ］ｘＨ２ＰＯ４、及び［Ｙ］ｘ＋ＨＰＯ４に対して［Ｙ］ｘＰＯ４、を添加することを含む。
【００１２】
オルトリン酸が説明されているが、リン酸とも呼ばれており、これは、オルトリン酸縮合類似体であるピロリン酸を含む。この差異は、オルトリン酸を縮合する過程を通して、ＰＯ４３−がＰ２Ｏ７２−又はその他の縮合リン酸になることである。それ故、［Ｙ］ｘＨ２ＰＯ４、及び［Ｙ］ｘ＋ＨＰＯ４は、ピロリン酸への前駆体である。したがって、ピロリン酸及びその他の縮合型の使用は、オルトリン酸型の定義に包含される。
【００１３】
本発明の一つの実施形態のリン含有親溶液は、任意の種類の環境、親水性又は疎水性環境のどちらの種類でも使用できる。疎水性環境の場合には、適正な分散を考慮して１種類のキャリヤー流体又は複数種のキャリヤー流体を選択する必要があるかもしれない。また、燃料添加剤を作成するために、キャリヤー流体とともに用いる分散剤は、好ましい実施形態に包含される。液体炭化水素燃料用途では、好ましくは、少なくとも１種のキャリヤー流体は、少なくともある種の親水性の特性をもつ流体であることができ、この流体は、燃料と混和され、分散剤とともに融和化剤として作用する。
【００１４】
本発明の燃料添加剤は、より完全な燃焼が達成され、燃料添加剤を用いない燃料の燃焼に比較した時、燃焼が促進されてＣＯ２及びＨ２Ｏになるように、燃焼を高めるのに有用である。成果は、不完全燃焼の生成物、並びに、ＮＯｘ及びＳＯ２の減少であり、それ故、燃料効率の増進である。
【００１５】
燃料効率を増進し、又は汚染物質を減少させるために十分な量の燃料添加剤を燃料に添加するように、燃料添加剤が用いられる。用語「高められた」及び「高められた燃焼」は、これらの効果のいずれかを言う。汚染物質減少の例は、直接燃焼型バーナ又はオープン火炎から生じる排ガス中のＮＯｘ及びＨＣＮの減少である。好都合なことに、これらの二つの効果は、本発明の燃料添加剤の添加を通して考察される。好ましい実施形態は、燃料添加剤の添加を通して、約５０と１５０ｐｐｍの間のリンを燃料に添加することを含む。リンの増量は、同様に効果がある。対費用効果のきわめて高い溶液が、低重量％のリンにより製造されることが注目される。別の好ましい目標は、約１ｐｐｍから１５０ｐｐｍのリンである。実用的な試験結果は、僅か０．２５ｐｐｍの低濃度のリンから生み出された。
【００１６】
本発明には、燃焼系で炭化水素燃料の燃料性能を高める方法であって、燃料性能を高めるのに効果的な量の上記した燃料添加剤を炭化水素燃料に供給するステップ、及び炭化水素燃料を燃料添加剤とともに燃焼させるステップを含む方法が含まれる。燃焼系は、炭化水素の燃焼にかかる業界で通常の技術を有するものに知られた任意の手段であることができる。燃焼系は、一つ又は複数の直接燃焼型バーナ又はオープン火炎を含むことができる。好ましい実施形態では、この方法は、液体又は液化炭化水素燃料とともに用いられる。炭化水素燃料に添加剤を加えた成果は、燃焼に適した炭化水素燃料の実質的な量、及び燃焼を高めることができる燃料添加剤の量を含有する、高められた燃料である。好ましくは、高められた燃料は、高められた燃料を燃焼した時に、燃料添加剤を含有しない炭化水素燃料の燃焼に比較して、排気物を減少できる量のリンを含有する。より好ましくは、高められた燃料は、約１と１５０重量ｐｐｍの間のリンを含有する。
【００１７】
本発明の代替の実施形態は、燃焼系で炭化水素燃料の燃料性能を高める方法であって、燃料性能を高めるために効果的な量で化学的添加組成物を炭化水素燃料に添加するステップを含む方法を含む。化学的添加組成物は、（ｉ）水性媒体中で反応性ＮＨ２基源と下記の一つを混合して中間溶液を作成することにより作成される：
（ａ）中間溶液のｐＨを約１２超に上げて、水性アンモニア／アルカリ金属水酸化物を作成するためのアルカリ金属水酸化物、又は
（ｂ）中間溶液のｐＨを約０に下げて、酸性アンモニウム混合物を作成するためのリン酸源。
次のステップは、高度な発熱反応を創り出すために十分な比率で、ステップ（ｉ．ａ．）の中間溶液とリン酸源を組み合わせるか、又はステップ（ｉ．ｂ．）の中間溶液と水酸化物を組み合わせることを含む。これは、化学的添加組成物を形成する時に、反応性ＮＨ２基が溶液中に含まれることに帰着する。この化学的添加組成物は、炭化水素燃料に添加される。
【００１８】
本発明の親溶液又は化学的添加組成物は、燃焼燃料に添加されるか、又は燃焼燃料を含むことができる。再度、炭化水素をベースとする燃料中に分散を促進する分散剤を含むことが好都合であろう。代表的燃料は、灯油、ディーゼル燃料及び残燃料である。
【００１９】
燃焼に適した実質的な量の燃料が、高められた燃料を燃焼させる時に排気物を減少させるか又は効率を増大させるために十分な量の、リン含有親溶液又は化学添加組成物と組み合わされる時に、高められた燃料が作成される。ある環境では、分散流体は、多量の目標流体、即ち望ましい燃料を含有する流体である。
【００２０】
リン酸、アルカリ金属水酸化物、及び反応性ＮＨ２基源の組成物は、転化表面（ｃｏｎｖｅｒｓｉｏｎ  ｓｕｒｆａｃｅ）を求めて米国特許第５，５４０，７８８号で調査された。この特許の開示を参考として本明細書に援用する。本発明は、燃料添加剤として転化表面組成物の使用を含む。一つの実施形態では、燃料添加剤は、炭化水素燃料を高めるための化学的添加組成物であり、この化学的添加組成物は米国特許第５，５４０，７８８号に開示された組成物を含む。この実施形態は、反応性ＮＨ２基源を使用する観点で独特であり、これは、ある種の環境下で好都合であるに違いない。反応性ＮＨ２基を含有する化学的組成物は、ある種の利点を有するが、それは遊離アンモニアの存在になるかもしれない。本発明の燃料添加剤の種々の他の実施形態は、遊離アンモニアの生成、及びこれに関連する問題を回避している。
【００２１】
本発明の燃料添加剤は、炭化水素燃料の気相転化を成就して、より完全な燃焼を達成して、その過程中でＣＯ２及びＨ２Ｏを生成させると考察される。好ましくは、燃料添加剤は、分散流体中の分散物として供給される。好ましくは、製造方法は、乳化され、かつそれに続いて基油に添加される水性親溶液を作成することを含む。分散は、乳化剤及び分散剤の使用により促進できる。好ましい実施形態では、オイルフリーを根拠にして、３０から１６０の全塩基価をもつ分散剤が用いられる。赤外技術及びその他の試験技術を用いて試験を実施した結果、本発明の燃料添加剤を含んだ炭化水素燃料を燃焼させ、その排ガスから発生するＣＯが減少することが確認された。
【００２２】
米国特許第５，５４０，７８８号（デファルコ特許）は、潤滑流体にリン酸塩処理化合物を送り込むことにより、鉄基体上に転化表面を形成させて、鉄‐リン表面を作成する方法を教示している。また、本発明は、バーナ又はオープン火炎に導入するための燃料添加剤として、デファルコの組成物を使用することを含む。この組成物は、リン酸源、アルカリ金属水酸化物、及び反応性ＮＨ２基源を含む。特に、反応性ＮＨ２基源は、デファルコ特許に記載された高度な発熱反応の結果として、反応性ＮＨ２基を生成する。試験は、上記反応において反応性ＮＨ２基源として作用する同様な化合物が、異なる物理的条件下では、反応性ＮＨ２基を生成しないことを示唆している。その理由は、それらの化合物が、異なる反応経路を辿るからである。この特殊な化学作用は、デファルコ特許に記載された高度な発熱反応に由来する。また、高ｐＨの物理的条件は、遊離アンモニアの生成に由来する。
【００２３】
本明細書に開示した新規組成物、及び先行して記載されたデファルコの組成物の両者は、高められた燃料性能を生み出すために使用できる。
【００２４】
本発明は、直接燃焼型バーナ及びオープン火炎に燃料添加剤を使用することを含む。これは、バンカーＣ重油を含むバンカー燃料などの重油を用いるバーナに対して特に価値がある。バーナ又は火炎での使用は、微粒子及びその他の排気物の低減を可能にする燃焼の利点をもたらすように見える。本発明の方法は、燃料添加剤が燃料とともに火炎中に含まれ又は存在するので、燃焼過程の一部として生み出される高温度において効果がある。燃料添加剤は、触媒として作用して燃焼を高める。
【００２５】
本発明の好ましい配合の一例は、以下の比率を含む：１．５９７モルのＫＨ２ＰＯ４、０．６９３モルのＫ２ＨＰＯ４、０．３１５モルの［ＮＨ４］２ＨＰＯ４及び水。溶液のｐＨは、これらの成分の比率を操作することにより制御できる。生じるＨ２ＰＯ４−、ＨＰＯ４２−イオンの比率を操作することにより、溶液は、約６．０から約８．０の好ましいｐＨ範囲で作成できる。
【００２６】
好ましい実施形態では、ＫＨ２ＰＯ４、Ｋ２ＨＰＯ４、［ＮＨ４］２ＨＰＯ４、及び水が、リン含有親溶液に加えられ、これが、精製油分散流体などの分散流体に添加され、かつ分散剤とともに混合される。代表的分散剤は、Ｔｅｘａｃｏ  ＴＦＡ  ４６９０Ｃ、Ｏｒｏｎｉｔｅ  ＯＤＡ  ７８０１２、Ｅｔｈｙｌ  Ｈｉｔｅｃ  ６４６などのポリアルケニルコハク酸イミドを含む。また、ある種のキャリヤー流体含むことが好都合であるに違いない。代表的なキャリヤー流体は、ポリオキシプロピレンモノオール、ジオール及びポリオール、ポリオキシブチレンモノオール、ジオール及びポリオール、特にＢａｙｅｒ  Ａｃｔａｃｌｅａｒ  ＮＤ１７を含む。リン含有親溶液は、精製油分散流体の約１０重量％で添加される。これは、かなりな量の溶媒、この場合は水を放出するために加熱される。混合物は、この点では、コロイドとして説明することができる。得られた溶液が燃料に混合される時、溶液中の効果的な量のリンが稀釈可能である。好ましい実施形態の一例は、溶液中で０．３重量％のリンである。燃料添加時に、リン含有量は、５〜１００ｐｐｂの範囲であることができ、かつ依然として効果がある。好ましくは、１〜２５０ｐｐｍのリンが、燃料中で用いられる。また、より多い量も効果がある。より好ましくは、燃料添加剤を含む燃料中で、１〜１５０重量ｐｐｍのリン濃度である。
【００２７】
燃料に用いるためのリン含有親溶液の代替の実施形態の例は、約２．６モル（Ｍ）のオルトリン酸塩をアルカリ金属及びアンモニウム陽イオンと混合することを含み、得られた水性親溶液は周囲温度でｐＨ７である。控えめな量のこの水性親溶液が、精製油分散流体及び分散剤の混合物に懸濁され、水性親溶液の水分のほとんどが加熱除去され、約０．３重量％のリン濃度になるように稀釈される。この混合物は、更に稀釈されて、燃料への添加物として用いられる。稀釈は、同様な精製油分散流体で行うことが好ましい。グループＩＩの基油が好ましい。その他の好ましい分散流体は、軽質炭化水素、ガソリン、ポリガス、灯油、ディーゼル、ナフサ軽油、ＡＰＩで定義されるグループＩ、ＩＩＩ、ＩＶ、Ｖ及びＶＩ基油、芳香族油、ポリブテン、ポリグリセロール、より重質油、又はそれらの組み合わせを含む。燃料に添加された時、この方法で製造された水性親溶液は、通常の操作条件下で、汚染物質分子の排出を減少させるように機能する。代替の実施形態の一例は、リン酸、水酸化カリウム、水中の水酸化アンモニウムを用いることを含む。また、酢酸を添加してもよい。成分の量は、望ましいｐＨに到達するように調節することができる。
【実施例１】
【００２８】
１．リン酸／酢酸溶液［Ｈ３ＰＯ４／ＨＯＡｃ溶液］を作成する。この作業では、Ｈ３ＰＯ４／ＨＯＡｃ溶液は、約９０モル％のＨ３ＰＯ４及び１０モル％のＨＯＡｃである。
２．反応に備え脱イオン水を準備する。
３．２，７３６．３９ポンドの水酸化カリウムが、水に添加される。
４．この水溶液に、１，３１５．１４ポンドの水酸化アンモニウム（２９％）を添加する。
５．得られた溶液に、Ｈ３ＰＯ４／ＨＯＡｃ溶液を添加して、反応させる。
６．反応後、酢酸を用いて、ｐＨを約７．０に調節する。この反応で得られた生成物は、化学的添加成分として有用であり、炭化水素燃料を高める。
【実施例２】
【００２９】
ディーゼル燃料の添加剤として、精製油分散流体中のＫＨ２ＰＯ４、Ｋ２ＨＰＯ４、［ＮＨ４］２ＨＰＯ４からなる燃料添加剤を用いた実験室的試験は、燃料効率を大いに改良する。この配合で、ナトリウムも、陽イオンとして使用できることが評価された。第ＩＡ族金属も好ましい陽イオンである。陽イオン選択に関係する因子は、商業的費用及び耐腐食性を含む。
【実施例３】
【００３０】
実施例２に記載の燃料添加剤を低硫黄ディーゼル燃料と組み合わせて用いたものは、燃料添加剤を添加しないディーゼル燃料と比較した場合、排ガス中のＣＯ排出量が７４％減少し、ＳＯ２で３４％減少し、微粒子で５５％減少した。
【実施例４】
【００３１】
上記の燃料添加剤を天然ガスと組み合わせて用いたものは、燃料添加剤を添加しない天然ガスの燃焼と比較した場合、一酸化炭素の生成が８７％減少し、ＮＯｘが１８％減少した。
【実施例５】
【００３２】
成分                  投入量ポンド        ユニット重量比
リン酸                      ２，５８３          ０．２５
水酸化カリウム              ２，７３６          ０．２６
水酸化アンモニウム          １，３１５          ０．１３
酢酸                            ６７２          ０．０６
脱イオン水                  ３，１０５          ０．３０
合計のリン含有親溶液      １０，４１１          １．００
【実施例６】
【００３３】
成分                  投入量ポンド          ユニット重量比
スター４基油                  ８，５４４            ０．７９
灯油                          １，２８２            ０．１２
ＯＤＡ７８０１２                  ２０５            ０．０２
Ｈｉｔｅｃ６４６                  ２０５            ０．０２
ＡｃｔａｃｌｅａｒＮＤ１７          ８５            ０．０１
リン含有親溶液（実施例５）        ２７３            ０．０３
合計                    １０，７４８            １．００
【００３４】
これは、燃料添加剤中で望ましい濃リン度を調整するために、基油中で更に稀釈される。燃料添加剤を作成するために、溶液から溶媒が除去される。この場合、溶媒は水であり、脱水は加熱により行われる。
【００３５】
代替の実施形態は、［ＮＨ４］Ｈ２ＰＯ４、［ＮＨ４］２ＨＰＯ４及び水を用いることを含む。好ましい実施形態では、溶媒は、溶媒中で塩の溶解性又は分散性、並びに溶媒の揮発性で定義されるものである。例えば、塩は、好ましくは溶媒全体に分散され、しかも、この溶媒は、溶液から溶媒を沸騰除去でき、かつ好ましくは、得られた製品に影響を与えることがなく再利用のために回収することができるような揮発性を有する。
【００３６】
本発明は、発明の形態のほんの一部を示し、説明した。本発明は、それに限定されるものではなく、しかも、当業者にとっては、本発明の範囲から逸脱することなく種々の変更が容易にできることは明白である。例えば、燃料又は分散流体への塩の導入が、中間溶液の作成及びそれに続き溶媒を加熱除去することなく、高速せん断混合により実施できる。また、塩に関して言えば、［Ｙ］ｘＨ２ＰＯ４、［Ｙ］ｘ＋ＨＰＯ４は、［Ｙ］ｘ［Ｈ２ＰＯ４］ｚ、［Ｙ］ｘ＋［ＨＰＯ４］ｚ（式中、ｘ及びｚは可変整数である）を包含する。
【国際調査報告】
2008514766.tif 000002
2008514766.tif 000003
2008514766.tif 000004